(57)【要約】【課題】薄型化に対応できるカードホルダーを提供する。【解決手段】カードホルダー１１は、第１の面を有する第１のプリント配線板と、第１のプリント配線板の第１の面に固定されるとともに、カード３２が差し込まれる薄型のコネクタと、第１のプリント配線板とは分離して設けられるとともに、カード３２を第１のコネクタの方向に向けて案内する本体３７を有するガイド１６と、第１のプリント配線板を厚み方向に貫通して設けられた第１の溝部と、本体３７からコネクタの方向に向けて突出するとともに、第１の溝部の内側に嵌め入れられて第１のプリント配線板の第１の面２７から突出した第１の突出片と、を具備する。【選択図】図３
2011039598.tif 000002
【特許請求の範囲】
【請求項１】
第１の面を有する第１のプリント配線板と、
前記第１のプリント配線板の前記第１の面に固定されるとともに、カードが差し込まれる薄型のコネクタと、
前記第１のプリント配線板とは分離して設けられるとともに、前記カードを前記第１のコネクタの方向に向けて案内する本体を有するガイドと、
前記第１のプリント配線板を厚み方向に貫通して設けられた第１の溝部と、
前記本体から前記コネクタの方向に向けて突出するとともに、前記第１の溝部の内側に嵌め入れられて前記第１のプリント配線板の前記第１の面から突出した第１の突出片と、
を具備することを特徴とするカードホルダー。
【請求項２】
前記第１のプリント配線板の前記第１の面とは反対側の第２の面に対向した第２のプリント配線板と、
前記第１のプリント配線板と前記第２のプリント配線板との間の位置で、前記第１のプリント配線板と前記第２のプリント配線板とを接続したスタッキングコネクタと、
前記本体から前記第１のプリント配線板の前記第１の面に突き当たるように突出した当接片と、
を具備することを特徴とする請求項１に記載のカードホルダー。
【請求項３】
前記第２のプリント配線板を厚み方向に貫通して設けられた第２の溝部と、
前記本体から突出して前記第２の溝部の内側に嵌め入れられる第２の突出片と、
を具備することを特徴とする請求項２に記載のカードホルダー。
【請求項４】
前記第１の溝部および前記第２の溝部は、前記カードの差し込み方向に沿って延びており、
前記第１の突出片は、前記第１の溝部に対して前記差し込み方向に抜き差し可能であるとともに、前記第２の突出片は、前記第２の溝部に対して前記差し込み方向に抜き差し可能であることを特徴とする請求項３に記載のカードホルダー。
【請求項５】
前記第１の溝部および前記第２の溝部は、前記本体に近づくにつれて拡開した端近部をそれぞれ含むことを特徴とする請求項４に記載のカードホルダー。
【発明の詳細な説明】
【技術分野】
【０００１】
本発明は、コネクタ方向にカードを案内するためのガイドを備えたカードホルダーに関する。
【背景技術】
【０００２】
ＩＣカードを抜き差し自在に装着した電子機器が開示されている。この電子機器は、ケースに設けられた挿入口と、挿入口に隣接した位置に設けられ下面を開放した箱状の案内部材と、案内部材の奥部に設けられるコネクタと、コネクタを実装した回路基板と、を備えている。案内部材は、回路基板上に固定されている。案内部材は、回路基板の表面に沿って延びた下案内リブと、天井面から下方に突出した上案内リブと、を有しており、プラスチックによって一体に成形されている。
【０００３】
この電子機器では、ＩＣカードは、下案内リブおよび上案内リブにガイドされて、奥部にあるコネクタに確実に差し込まれる（例えば、特許文献１参照）。
【先行技術文献】
【特許文献】
【０００４】
【特許文献１】特開平４−２４６７９３号公報
【発明の概要】
【発明が解決しようとする課題】
【０００５】
ところで、電子機器を薄型化するためにコネクタを薄型化すると、下案内リブの厚みを薄くする必要がある。しかしながら、案内部材は、プラスチックの成形品であるため、下案内リブを成形するには、ある一定以上の厚み寸法を確保する必要がある。このため、上記従来の電子機器では、近年のカードホルダーの薄型化の要請に十分に対応できなくなっていた。
【０００６】
本発明の目的は、薄型化に対応できるカードホルダーを提供することにある。
【課題を解決するための手段】
【０００７】
前記目的を達成するため、本発明の一つの形態に係るカードホルダーは、第１の面を有する第１のプリント配線板と、前記第１のプリント配線板の前記第１の面に固定されるとともに、カードが差し込まれる薄型のコネクタと、前記第１のプリント配線板とは分離して設けられるとともに、前記カードを前記第１のコネクタの方向に向けて案内するガイドと、前記第１のプリント配線板を厚み方向に貫通して設けられた第１の溝部と、前記ガイドから前記コネクタの方向に向けて突出するとともに、前記第１の溝部の内側に嵌め入れられて前記第１のプリント配線板の前記第１の面から突出した第１の突出片と、を具備する。
【発明の効果】
【０００８】
上記の構成によれば、薄型化に対応できるカードホルダーを提供できる。
【図面の簡単な説明】
【０００９】
【図１】第１の実施形態に係るカードホルダーを示す斜視図。
【図２】図１に示すカードホルダーの縦方向に沿った断面図。
【図３】図１に示すカードホルダーの第１のコネクタ周辺を拡大して示した斜視図。
【図４】図１に示すカードホルダーの支持部材をベースから分離して示した斜視図。
【図５】図１に示すカードホルダーのベースおよび第６のプリント配線板を示す斜視図。
【図６】図５に示すカードホルダーのベースに第１から第５のプリント配線板を取り付けた後に支持部材を取り付ける工程を示した斜視図。
【図７】図６に示すカードホルダーの取付け工程の次の工程を示した斜視図。
【発明を実施するための形態】
【００１０】
以下に、図１から図７を参照して、表示装置の一例であるカードホルダーの実施形態について説明する。このカードホルダー１１は、例えば地上波デジタル放送、ＢＳデジタル放送、ＣＳデジタル放送をテレビ等で受信する際に必要なＢ−ＣＡＳ（BS-Conditional Access Systems）カードを差し込んで保持するものである。また、このカードホルダー１１は、テレビの録画装置等に内蔵されており、種類の異なるＢ−ＣＡＳカードを最大で６枚同時に差し込んで保持することができる。
【００１１】
図１、図２に示すように、カードホルダー１１は、互いに対向するように設けられた第１から第６のプリント配線板１２Ａ〜Ｆと、第１から第６のプリント配線板１２Ａ〜Ｆの間にそれぞれ介在される第１から第５のスタッキングコネクタ１３Ａ〜Ｅと、を備えている。第１から第６のプリント配線板１２Ａ〜Ｆによって、プリント配線板ユニット１４が構成されている。カードホルダー１１は、さらに、このプリント配線板ユニット１４の底部および側部を取り囲むベース１５と、プリント配線板ユニット１４の前部に取り付けられるガイド１６と、第１から第６のプリント配線板１２Ａ〜Ｆをベース１５に固定するための一対の支持部材１７と、を備えている。
【００１２】
図５に示すように、ベース１５は、金属板金で形成されており、「Ｕ」字状の断面形状をなしている。ベース１５は、底壁１５Ａと、底壁１５Ａの対向する一対の辺部からそれぞれ立ち上がった側壁１５Ｂと、側壁１５Ｂの前部上端に設けられた受け片１８と、を有している。図３と図５に示すように、側壁１５Ｂは、複数の横長の貫通孔２１と、複数の方形の開口部２２と、を有している。受け片１８は、後述する取付部３８の通孔４５に通されたねじを固定するためのねじ穴１８Ａを有している。
【００１３】
図４と図６に示すように、一対の支持部材１７は、方形の板状をなしており、第１から第５のプリント配線板１２Ａ〜Ｅに向けて突出した５個の保持爪２３をそれぞれ有している。各保持爪２３は、断面「Ｕ」字状をなしており、第１から第５のプリント配線板１２Ａ〜Ｅを上下から挟んで保持することができる。さらに、各支持部材１７は、側壁１５Ｂの複数の開口部２２のうちの一部に嵌る４個の爪部２４と、側壁１５Ｂの複数の開口部２２のうちの一部に嵌る位置決め用の３個のピン２５と、側壁１５Ｂの複数の開口部２２のうちの１個に嵌りこむフック２６と、を有している。一対の支持部材１７は、フック２６を持ち上げてベース１５との間の係合を解除した後に、爪部２４が外れる方向にスライドさせることで、ベース１５から簡単に取り外すことができる。
【００１４】
また、支持部材１７は、それぞれ折り曲げ部１９を有しており、折り曲げ部１９は、第１から第５のプリント配線板１２Ａ〜Ｅの後ろ側の端部に突き当たってこれらの位置決めを行っている。
【００１５】
図２に示すように、第１から第６のプリント配線板１２Ａ〜Ｆは、それぞれ上面である第１の面２７と、下面である第２の面２８と、を備えている。図６に示すように、第１から第６のプリント配線板１２Ａ〜Ｆは、後述するガイド１６の第１から第６の突出片４２Ａ〜Ｆがそれぞれ差し込まれる第１から第６の溝部３１Ａ〜Ｆを一対に有している。第１から第６の溝部３１Ａ〜Ｆは、各プリント配線板１２Ａ〜Ｆのガイド１６に対向する端部に設けられており、各プリント配線板１２Ａ〜Ｆを厚み方向に貫通している。第１から第６の溝部３１Ａ〜Ｆは、各プリント配線板１２Ａ〜Ｆの端面から第１から第６のコネクタ３３Ａ〜Ｆに向かう方向、すなわちカード３２の差し込み方向Ｓに沿ってそれぞれ延びている。
【００１６】
第１から第６の溝部３１Ａ〜Ｆは、ガイド１６に対向する端部の位置に端近部３９をそれぞれ有している。端近部３９は、ガイド１６の本体３７に近づくにつれて拡開したテーパ面を形成している。端近部３９によって、後述する第１から第６の突出片４２Ａ〜Ｆの第１から第６の溝部３１Ａ〜Ｆに対する差し込みを円滑に案内することができる。
【００１７】
図２に示すように、第１から第６のプリント配線板１２Ａ〜Ｆの第１の面２７には、カード３２が差し込まれる第１から第６のコネクタ３３Ａ〜Ｆと、複数の回路部品３４とがそれぞれ実装されている。第１から第６のコネクタ３３Ａ〜Ｆは、扁平な薄型の箱形状をなしており、ガイド１６に対向している前部を開放している。この第１から第６のコネクタ３３Ａ〜Ｆに対して、図１に示すように、カード３２が差し込まれる。
【００１８】
第１のプリント配線板１２Ａと第２のプリント配線板１２Ｂとの間には、第１のスタッキングコネクタ１３Ａが配置されており、これらを電気的に接続するとともに物理的に固定している。また、第２のプリント配線板１２Ｂと第３のプリント配線板１２Ｃとの間には、第２のスタッキングコネクタ１３Ｂが配置されており、これらを電気的に接続するとともに物理的に固定している。第３のプリント配線板１２Ｃと第４のプリント配線板１２Ｄとの間には、第３のスタッキングコネクタ１３Ｃが配置されており、これらを電気的に接続するとともに物理的に固定している。第４のプリント配線板１２Ｄと第５のプリント配線板１２Ｅとの間には、第４のスタッキングコネクタ１３Ｄが配置されており、これらを電気的に接続するとともに物理的に固定している。第５のプリント配線板１２Ｅと第６のプリント配線板１２Ｆとの間には、第５のスタッキングコネクタ１３Ｅが配置されており、これらを電気的に接続するとともに物理的に固定している。
【００１９】
第１から第５のスタッキングコネクタ１３Ａ〜Ｅは、それぞれ若干大きさが異なっており、第１のスタッキングコネクタ１３Ａから第５のスタッキングコネクタ１３Ｅにいくにつれて、少しずつ大きさ（直径）が小さくなるようになっている。これによって、第１から第６のプリント配線板１２Ａ〜Ｆの同士の間で位置が入れ替わらないようになっている。
【００２０】
第２から第５のプリント配線板１２Ｂ〜Ｅの第２から第６のコネクタ３３Ｂ〜Ｆの上側には、図５に示すような小片３５がそれぞれ接着されている。各コネクタ３３Ｂ〜Ｆの高さと小片３５との高さとを足し合わせた寸法は、スタッキングコネクタ１３Ａ〜Ｅの高さ寸法と略同等になっている。このため、第１から第６のプリント配線板１２Ａ〜Ｆを互いに対向する方向にスタックする際に、スタッキングコネクタ１３Ａ〜Ｅが設けられた位置が高くなるように第１から第５のプリント配線板１２Ａ〜Ｅが傾いてしまうことが防止されている。
【００２１】
図２、図３、図７に示すように、ガイド１６は、第１から第６のプリント配線板１２Ａ〜Ｆとは分離した位置に設けられており、カード３２を第１から第６のコネクタ３３Ａ〜Ｆの方向に向けて案内することができる。ガイド１６は、合成樹脂を一体に成形したもので構成される。ガイド１６は、第１から第６のコネクタ３３Ａ〜Ｆに対応して、計６個の方形の開放部３６を有している。すなわち、ガイド１６は、各開放部３６の周囲を枠状に規定した本体３７と、本体３７に隣接して設けられる取付部３８と、本体３７の下側の端部に設けられるフック部と、第１から第６のコネクタ３３Ａ〜Ｆに向けて本体３７から突出する第１から第６の突出片４２Ａ〜Ｆと、第１から第５のプリント配線板１２Ａ〜Ｅに当接するように本体３７から突出した第１から第５の当接片４３Ａ〜Ｅと、を有している。フック部は、ベース１５の底壁１５Ａに設けられた孔部４４に引っ掛かるようになっている。図１に示すように、取付部３８は、ねじを通すための通孔４５を有しており、通孔４５にねじを通すことによって、ガイド１６をベース１５に対して固定することができる。
【００２２】
第１から第６の突出片４２Ａ〜Ｆは、第１から第６のプリント配線板１２Ａ〜Ｆに向けてそれぞれ一対に突出している。第１から第６の突出片４２Ａ〜Ｆは、第１から第６のプリント配線板１２Ａ〜Ｆの第１から第６の溝部３１Ａ〜Ｆの内側にそれぞれ差し込まれており、第１から第６のプリント配線板１２Ａ〜Ｆの第１の面２７から上方に微小量突出している。この第１の面２７から突出した第１から第６の突出片４２Ａ〜Ｆの突出量は、隣接したプリント配線板１２同士の間隔よりも小さく、且つ、ガイド１６の成形時のばらつきを考慮して、第１から第６のプリント配線板１２Ａ〜Ｆの第１の面２７からこれらが確実に突出する長さに調整されている。第１から第６の突出片４２Ａ〜Ｆが第１の面２７から突出する突出量は、例えば、０．１ｍｍ〜０．４ｍｍ程度である。
【００２３】
第１から第６の突出片４２Ａ〜Ｆは、カード３２の差し込み方向Ｓにおいて、第１から第６の溝部３１Ａ〜Ｆに対して抜き差し可能になっている。第１から第６の突出片４２Ａ〜Ｆは、カード３２の下面に当接して、カード３２を第１から第６のコネクタ３３Ａ〜Ｆに向けて下側から案内することができる。
【００２４】
また、第１から第６の突出片４２Ａ〜Ｆは、第１から第６のプリント配線板１２Ａ〜Ｆをそれらが延びている方向、すなわち水平方向において位置決めすることができる。第１から第６の突出片４２Ａ〜Ｆは、第１から第６のプリント配線板１２Ａ〜Ｆとそれぞれ平行な方向に延びている。第１から第６の突出片４２Ａ〜Ｆは、第１から第５の当接片４３Ａ〜Ｅよりも内側の位置に配置されている。
【００２５】
図２に示すように、第１の当接片４３Ａは、第１のプリント配線板１２Ａの第１の面２７に突き当たっている。第２の当接片４３Ｂは、第２のプリント配線板１２Ｂの第１の面２７に突き当たっている。第３の当接片４３Ｃは、第３のプリント配線板１２Ｃの第１の面２７に突き当たっている。第４の当接片４３Ｄは、第４のプリント配線板１２Ｄの第１の面２７に突き当たっている。第５の当接片４３Ｅは、第５のプリント配線板１２Ｅの第１の面２７に突き当たっている。
【００２６】
なお、本発明にいう第１および第２のプリント配線板、第１および第２の溝部、第１および第２の突出片は、第１から第６のプリント配線板１２Ａ〜Ｆ、第１から第６の溝部３１Ａ〜Ｆ、および第１から第６の突出片４２Ａ〜Ｆに含まれるもののうち、隣接する２つに相当する相対的な概念である。
【００２７】
続いて、図１、図２、図４から図７を参照して、本実施形態のカードホルダー１１の組立工程について説明する。図５に示すように、まず初めにベース１５の底壁１５Ａに対して第６のプリント配線板１２Ｆをねじ４８等で固定する。次に、第５のスタッキングコネクタ１３Ｅを利用して、第６のプリント配線板１２Ｆに第５のプリント配線板１２Ｅを固定する。次に、図２に示すように、第４のスタッキングコネクタ１３Ｄを利用して、第５のプリント配線板１２Ｅに第４のプリント配線板１２Ｄを固定する。さらに、第３のスタッキングコネクタ１３Ｃを利用して、第４のプリント配線板１２Ｄに第３のプリント配線板１２Ｃを固定する。さらに、第２のスタッキングコネクタ１３Ｂを利用して、第３のプリント配線板１２Ｃに第２のプリント配線板１２Ｂを固定する。そして、第１のスタッキングコネクタ１３Ａを利用して、第２のプリント配線板１２Ｂに第１のプリント配線板１２Ａを固定する。この状態では、各スタッキングコネクタ１３Ａ〜Ｅによって、第１から第６のプリント配線板１２Ａ〜Ｆが仮固定された状態となる。
【００２８】
そして、図４に示すように、ベース１５の一方の側壁１５Ｂおよび第１から第６のプリント配線板１２Ａ〜Ｆに対して、１つ目の支持部材１７を装着する。続いて、図６に示すように、ベース１５の他方の側壁１５Ｂおよび第１から第６のプリント配線板１２Ａ〜Ｆに対して、２つ目の支持部材１７を装着する。これら支持部材１７の装着は、図６に示すように、まず、ベース１５の側壁１５Ｂに近づける方向Ｄ１に支持部材１７を接近させ、各保持爪２３を貫通孔２１に通し、爪部２４、位置決めピン２５、フック２６をそれぞれ各開口部２２に通すようにする。続いて、支持部材１７を前方に向かう方向Ｄ２に沿って移動させ、各爪部２４を貫通孔２１の周囲の縁部に引っ掛ける。これによって、フック２６が貫通孔２１の内側に落ち込んで、ロック状態となる。また、第１から第６のプリント配線板１２Ａ〜Ｆは、支持部材１７の各保持爪２３によってそれぞれ両側から保持される。
【００２９】
図７に示すように、ガイド１６をカード３２の差し込み方向Ｓに沿って移動させ、ベース１５および第１から第６のプリント配線板１２Ａ〜Ｆに対してガイド１６を固定する。このとき、ガイド１６の第１から第６の突出片４２Ａ〜Ｆは、それぞれ第１から第６のプリント配線板１２Ａ〜Ｆの第１から第６の溝部３１Ａ〜Ｆの内側に入り込む。また、ガイド１６の第１から第５の当接片４３Ａ〜Ｅは、それぞれ第１から第５のプリント配線板１２Ａ〜Ｅの第１の面２７に当接する。また、ガイド１６の取付部３８に設けられた固定孔４６に対して、ベース１５の側壁１５Ｂから突出した位置決めリブ４７が差し込まれて、図１に示す状態になる。図１に示す状態では、フック部は、孔部４４の内側に嵌り込んでロック状態となる。この状態で取付部３８の通孔４５、および受け片１８のねじ穴１８Ａに対してねじを固定して、カードホルダー１１の組立工程が完了する。
【００３０】
第１の実施形態によれば、カードホルダー１１は、第１の面２７を有する第１のプリント配線板と、第１のプリント配線板の第１の面２７に固定されるとともに、カード３２が差し込まれる薄型のコネクタと、第１のプリント配線板とは分離して設けられるとともに、カード３２を第１のコネクタの方向に向けて案内する本体３７を有するガイド１６と、第１のプリント配線板を厚み方向に貫通して設けられた第１の溝部と、本体３７からコネクタの方向に向けて突出するとともに、第１の溝部の内側に嵌め入れられて第１のプリント配線板の第１の面２７から微小量突出した第１の突出片と、を具備する。
【００３１】
この構成によれば、薄型コネクタの採用に起因して、第１の突出片を配置するスペースを第１のプリント配線板上に確保できない場合であっても、第１の溝部の内側に第１の突出片を配置することで、第１の突出片を第１の面から微小量だけ突出させることができる。これによって、第１の面２７から微小量だけ突出した第１の突出片によって、コネクタに向けてカード３２を円滑に案内することができる。また上記構成によれば、第１の突出片を樹脂によってガイド１６と一体に成形できるため、コネクタを薄型のものに変更したとしても、従来通り例えば射出成形等の手法によってガイド１６および第１の突出片を製造することができる。
【００３２】
また、カードホルダー１１は、第１のプリント配線板の第１の面とは反対側の第２の面に対向した第２のプリント配線板と、第１のプリント配線板と第２のプリント配線板との間の位置で、第１のプリント配線板と第２のプリント配線板とを接続したスタッキングコネクタと、本体３７から突出して第１のプリント配線板の第１の面に突き当たった当接片と、を具備する。この構成によれば、当接片によって、第１のプリント配線板の浮き上がりを防止できるため、第１の突出片を第１の面から確実に微小量突出させることができる。また、当接片がスタッキングコネクタの反対側に設けられるため、スタッキングコネクタによって仮固定された状態の第１のプリント配線板が第２のプリント配線板から脱落してしまうことを防止できる。さらに、上記構成によれば、ねじ等を利用することなく第１のプリント配線板と第２のプリント配線板とを固定することができ、カードホルダーの組立を簡単に行うことができる。
【００３３】
この場合、カードホルダー１１は、第２のプリント配線板を厚み方向に貫通して設けられた第２の溝部と、本体３７から突出するとともに第２の溝部の内側に嵌め入れられた第２の突出片と、を具備する。これらの構成によれば、本体３７から突出した第１の突出片および第２の突出片によって、第１のプリント配線板および第２のプリント配線板を簡単に位置決めすることができる。
【００３４】
このとき、第１の溝部および第２の溝部は、カード３２の差し込み方向に沿って延びており、第１の突出片は、第１の溝部に対して差し込み方向に抜き差し可能であるとともに、第２の突出片は、第２の溝部に対して差し込み方向に抜き差し可能である。この構成によれば、差し込み方向Ｓに沿ってガイド１６を第１のプリント配線板および第２のプリント配線板に近づく方向に移動させることで、第１の突出片および第２の突出片を第１の溝部および第２の溝部に一括して簡単に差し込むことができる。一方、第１のプリント配線板および第２のプリント配線板のいずれかを修理等する際には、差し込み方向Ｓに沿ってガイド１６を第１のプリント配線板および第２のプリント配線板から離れる方向に移動させ、第１の溝部および第２の溝部から第１の突出片および第２の突出片を取り外して簡単に分解できる。
【００３５】
また、第１の溝部および第２の溝部は、本体３７に近づくにつれて拡開した端近部３９をそれぞれ含んでいる。この構成によれば、第１の溝部および第２の溝部に対する第１の突出片および第２の突出片の差し込みをより一層円滑に行うことができる。また、第１の溝部および第２の溝部は、差し込み方向Ｓに沿って延びている部分と、端近部３９のように本体３７に近づくにつれて拡開している部分との両方を含んでいるため、第１のプリント配線板および第２のプリント配線板の位置決めの確実性と、第１の突出片および第２の突出片の差し込み容易性の両方を簡単な構造で実現できる。
【００３６】
本発明のカードホルダー１１は、その他、発明の要旨を逸脱しない範囲で種々変形して実施することができる。
【符号の説明】
【００３７】
１１…カードホルダー、１２Ａ〜Ｆ…第１から第６のプリント配線板、１３Ａ〜Ｅ…第１から第５のスタッキングコネクタ、１６…ガイド、２７…第１の面、２８…第２の面、３１Ａ〜Ｆ…第１から第６の溝部、３２…カード、３３Ａ〜Ｆ…第１から第６のコネクタ、４２Ａ〜Ｆ…第１から第６の突出片、４３Ａ〜Ｅ…第１から第５の当接片、Ｓ…差し込み方向
【図１】
2011039598.tif 000003
【図２】
2011039598.tif 000004
【図３】
2011039598.tif 000005
【図４】
2011039598.tif 000006
【図５】
2011039598.tif 000007
【図６】
2011039598.tif 000008
【図７】
2011039598.tif 000009
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
第１の面を有する第１のプリント配線板と、
前記第１のプリント配線板の前記第１の面に固定されるとともに、カードが差し込まれる薄型のコネクタと、
前記第１のプリント配線板とは分離して設けられるとともに、前記カードを前記第１のコネクタの方向に向けて案内する本体を有するガイドと、
前記第１のプリント配線板を厚み方向に貫通して設けられた第１の溝部と、
前記本体から前記コネクタの方向に向けて突出するとともに、前記第１の溝部の内側に嵌め入れられて前記第１のプリント配線板の前記第１の面から突出した第１の突出片と、
を具備することを特徴とするカードホルダー。
【請求項２】
前記第１のプリント配線板の前記第１の面とは反対側の第２の面に対向した第２のプリント配線板と、
前記第１のプリント配線板と前記第２のプリント配線板との間の位置で、前記第１のプリント配線板と前記第２のプリント配線板とを接続したスタッキングコネクタと、
前記本体から前記第１のプリント配線板の前記第１の面に突き当たるように突出した当接片と、
を具備することを特徴とする請求項１に記載のカードホルダー。
【請求項３】
前記第２のプリント配線板を厚み方向に貫通して設けられた第２の溝部と、
前記本体から突出して前記第２の溝部の内側に嵌め入れられる第２の突出片と、
を具備することを特徴とする請求項２に記載のカードホルダー。
【請求項４】
前記第１の溝部および前記第２の溝部は、前記カードの差し込み方向に沿って延びており、
前記第１の突出片は、前記第１の溝部に対して前記差し込み方向に抜き差し可能であるとともに、前記第２の突出片は、前記第２の溝部に対して前記差し込み方向に抜き差し可能であることを特徴とする請求項３に記載のカードホルダー。
【請求項５】
前記第１の溝部および前記第２の溝部は、前記本体に近づくにつれて拡開した端近部をそれぞれ含むことを特徴とする請求項４に記載のカードホルダー。
【請求項６】
第１の面を有する第１のプリント配線板と、
前記第１のプリント配線板の前記第１の面に固定されるとともに、カードが差し込まれる薄型のコネクタと、
前記第１のプリント配線板とは分離して設けられるとともに、前記カードを前記第１のコネクタの方向に向けて案内する本体を有するガイドと、
前記第１のプリント配線板を厚み方向に貫通して設けられた第１の溝部と、
前記本体から前記コネクタの方向に向けて突出するとともに、前記第１の溝部の内側に嵌め入れられて前記第１のプリント配線板の前記第１の面から突出した第１の突出片と、
を具備することを特徴とする装置。